(57)【要約】【課題】  歯科用切削器具（ファイル、リーマ等）に回動自在な環状体（サルカン）を介してホルダー端子、コードを連結しているので、ホルダー端子、コードが絡まることなく歯科用切削器具の操作が極めて容易になる。【解決手段】  針部２と、該針部２の一端に形成された刃部３と、前記針部２の他端に形成された柄部４とからなる歯科用切削器具１において、前記柄部４の近傍に前記針部２の他端を延出して形成して第１環状体５を形成し、該第１環状体５に第２環状体６を回動自在に連結して歯科用切削器具を構成する。【選択図】  図２
2006122204.tif 000002
【特許請求の範囲】
【請求項１】
針部と、該針部の一端に形成された刃部と、前記針部の他端に形成された柄部とからなる歯科用切削器具において、前記柄部の近傍に前記針部の他端を延出して曲成して第１環状体を形成し、該第１環状体に第２環状体を回動自在に連結したことを特徴とする歯科用切削器具。
【請求項２】
前記第２環状体にホルダー端子を連結し、さらに該ホルダー端子にコードを連結した請求項１に記載の歯科用切削器具。
【請求項３】
前記針部に、ストッパーを嵌着した請求項１に記載の歯科用切削器具。
【請求項４】
前記歯科用切削器具が、根管ファイルである請求項１に記載の歯科用切削器具。
【請求項５】
前記歯科用切削器具が、根管リーマである請求項１に記載の歯科用切削器具。
【請求項６】
前記歯科用切削器具が、根管長の測定に用いられる請求項１に記載の歯科用切削器具。
【請求項７】
前記回動自在な第２環状体が、サルカンである請求項１に記載の歯科用切削器具。
【発明の詳細な説明】
【技術分野】
【０００１】
本発明は、歯科用切削器具、とくに歯の根管長測定に用いられるファイル及びリーマに関する。
【背景技術】
【０００２】
歯内療法において歯の根管治療で困難な点は、根尖周囲組織を損傷せずに根尖孔位置まで確実に根管の拡大、清掃を行い、根管内に充填剤（ガッターパーチャー）を充填することである。歯科治療中に根尖孔位置を越えて歯科用切削器であるファイル、リーマ、ブローチ等で根尖周囲組織を傷つけ、刺激することは好ましくない。
【０００３】
このため根尖歯周囲組織への刺激等による感染を恐れて、当該歯科用切削器の根管内への挿入が不十分となったり、また、根尖部根管に清掃・消毒されていない空隙を残すことになる。そこで、根管治療を正しく行うために、治療前に予め根管の正確な長さ（「根管長」：象牙質・セメント質境界部と歯冠側の基準点との間の長さ、「作業長」ともいう）を知っておく必要がある。
【０００４】
そこで、従来、手用切削器具（ファイル等）を用いて根管長を電気的に測定する方法が採用されていた。
【０００５】
すなわち、従来の根管長の測定方法では、まず、図４に示すような、例えば、手用切削器具として、歯科用根管Ｈファイル１ａを用いる。このファイル１ａは、図４に示すように、針部２ａと、この針部２ａに一端に形成された刃部３ａと、針部２ａの他端に形成された柄部４ａと、針部２ａの柄部４ａ近傍に嵌着された環状のラバーストッパー９ａとからなる。例えば、ＪＩＳ（Ｔ５２１２）によると、針部２ａの全長は２１ｍｍ〜３１ｍｍ、刃部３ａの長さは最小１６ｍｍ、刃部３ａの先端の直径は０．１０〜１．４０ｍｍ、刃部３ａの垂直横断面形状は、ともえ形であって、その材料としては、硬鋼線材、ピアノ線、ステンレス鋼線、ばね用ステンレス鋼線が用いられるようになっている。
【０００６】
そして、図５に示すように、歯牙Ｔの歯根Ｒ内に、上述したファイル１ａを挿入してファイル１ａが根尖孔ｒに達した時に、ラバーストッパー９ａまでの長さを計測することにより、リアルタイムで市販の根尖孔位置検出装置を用いて根管長Ｌを測定する。
【０００７】
ここで、図７に示す根尖孔位置検出装置Ｍ（例えば、株式会社モリタ製作所の“根管長測定モジュール（ＤＥＮＴＡ  ＰＯＲＴ））のファイルホルダー１０の把持部１０ａ（図６参照）で手用切削器具（ファイル、リーマ等）１ａの針部２ａを把持して根管長Ｌの測定を行う。
【０００８】
この検出装置Ｍは、図７に示すように、ルートＺＸモジュール１２からなり、このモジュール１２は、液晶ディスプレイ１３、ＰＯＷＥＲスイッチ１４、ＭＯＤＥスイッチ１５、ＳＥＬＥＣＴスイッチ１６、ＳＥＴスイッチ１７とからなり、ファイルホルダー１０は、プローブコード１１を介してルートＺＸモジュール１２に接続され、また、このプローブコード１１には、二又状に対極、排唾管用クリップ（図示せず）を接続するコード１８が接続、さらにホルダー端子、コードを介して検出装置Ｍに導通している。
【０００９】
そして、図６に示すように、このように構成された根尖孔位置検出装置Ｍのファイルホルダー１０にファイル１ａを把持させた後、ファイル２ａを歯根Ｒ内に挿入する。そして、ファイル２ａの先端が根尖孔位置ｒに達したことをラバーストッパー９ａまでの長さを計測することにより、検出装置Ｍで電気的に検知し、モジュール１２の液晶ディスプレイ１３の表示により根管長Ｌを検出（測定）する。
【００１０】
しかしながら、従来の根管長位置検出装置Ｍにおいては、図６に示すように、ファイルホルダー１０の把持部１０ａでファイル８ａの針部２ａを把持しているため、ファイル１ａの柄部４ａを指先で握って微妙な回転・上下移動をファイル１ａに与えてファイル１ａの位置の調整を行うことは、極めて困難であった。
【００１１】
また、ファイルホルダー１０を介してホルダー端子、コードをファイル１ａの針部２ａに保持しているため、ファイル１ａにホルダー端子が絡まり、また、歯との間隙が狭くなりホルダー端子、コード等が作業の邪魔になっていた。
【特許文献１】特開平１０−１５５８１８号公報
【発明の開示】
【発明が解決しようとする課題】
【００１２】
本発明が解決しようとする問題点は、ファイル、リーマ等の歯科用切削器具において、これらの歯科用切削器具を指先において自由に操作（回転・上下移動）して微妙な位置調整等ができない点にある。
【課題を解決するための手段】
【００１３】
本発明は、針部と、該針部の一端に形成された刃部と、前記針部の他端に形成された柄部とからなる歯科用切削器具において、前記柄部の近傍に前記針部の他端を延出して曲成して第１環状体を形成し、該第１環状体に第２環状体を回動自在に連結したことを特徴とする歯科用切削器具に関する。
【発明の効果】
【００１４】
歯科用切削器具（ファイルあるいはリーマ）に回動自在な環状体（サルカン）を介してホルダー端子、コードを連結しているので、ホルダー端子、コードが絡まることなくファイルの操作が極めて容易になる。また、ファイルホルダーが不要となる。
【発明を実施するための最良の形態】
【００１５】
〔実施例〕
図１は、本発明の歯科用切削器具１、例えば根管ファイル、の正面図であって、この根管ファイルは、根尖孔位置検出装置（図６参照）による歯の根管長（図４に示すＬ）の測定に用いられる。
【００１６】
この根管ファイル１は、図１に示すように、硬鋼線材、ピアノ線、ステンレス鋼線、ばね用ステンレス鋼線等からなる直径０．４２ｍｍ〜１．７２ｍｍ、長さ２１ｍｍ〜３１ｍｍ程度の針部２と、この針部２の一端に形成され、垂直横断面がともえ形の刃部３と、針部２の他端に装着した直径が約３ｍｍ、長さが約１０ｍｍ程度のプラスチック製の柄部４（必要に応じてこの柄部４の直径を、例えば１０ｍｍ程度の大径としてもよい）と、この柄部４の先端から延出し曲成した金属製の針部２と一体のサルカン装着リング５（第１環状体）と、針部２の柄部４近傍に嵌着された環状のラバーストッパー９と、から構成されている。サルカン装着リング５を除く部分は、例えば、ＪＩＳ（Ｔ５２１２）として規格品として市販されているので、容易かつ原価で入手できる。そこで市販品の根管ファイルあるいはリーマを入手して、針部２の他端を曲成してサルカン装着リング５を形成し、サルカン装着リング５の近傍に柄部４を、例えば、射出成形等により一体に装着して、本発明の歯科用切削器具（例えば、根管ファイルあるいはリーマ）を構成する。
【００１７】
そして、本発明の歯科用切削器具１を根管長の測定に用いる場合には、その柄部４の近傍に形成したサルカン装着用リング５に市販の回動自在な第２環状体〔通称サルカン（猿環：自在に回転する金物の環：パワースイベルの商品名で市販されている）〕６の一方のリング６ａを回動自在に引掛け、他方のリング６ｂにホルダー端子７、コード８を連結して、図７に示すような根尖孔位置検出装置Ｍに電気的に接続する。ここで、サルカン６は、ファイルの刃部３と一体のサルカン装着リング５を介して電気的に導通している。
【００１８】
本発明の歯科用切削器具１を用いて根管長Ｌを測定する場合には、例えば根管ファイル１を、図４に示すように、歯牙Ｔの根管Ｒ内に挿入して根管Ｒの切削を行いながら、柄部４を指先で直接把持して１／３〜１／４回転させるとともに上下方向に微細な移動をさせる。
【００１９】
ファイル１の先端が図４に示す根尖孔ｒに達すると、患者の口角部に掛けた対極（図示なし）を介して生体内を電流が導通し、この位置が電気的に検知されて、根尖孔位置検出装置Ｍの液晶ディスプレイ１３に表示され、この表示は象牙質・セメント質境にファイルが到達していることを示すものであり、歯冠側にマークしたラバーストッパー９までの長さを計測することにより作業長の決定がなされる。とくに、この根管長Ｌは、根管内に挿入したファイルの先が歯根膜腔（根尖孔）に達すると、先の、歯の種類に関係なく「ファイルと口腔粘膜との間の電気抵抗値は、ほぼ一定の値を示す」という原理を応用して測定されるようになっている。
【００２０】
そして、このようにして正確に測定された根管長Ｌに基づいて、根管拡大を行い根管が清掃された後、根管充填材（剤）により根管充填が行われる。
【産業上の利用可能性】
【００２１】
歯科用の手用切削器具（ファイル、リーマ等）の先端に第１環状体を形成し、この第１環状体に第２環状体を連結してあるので、根管長測定等広く歯科治療に適用できる。
【図面の簡単な説明】
【００２２】
【図１】本発明の歯科用切削器具の一実施例である歯科用根管Ｈファイルの正面図である。
【図２】図１に示した歯科用根管Ｈファイルのサルカン装着リング（第１環状体）にサルカン（第２環状体）を取付け、さらにホルダー端とコードを連結した正面図である。
【図３】本発明の歯科用根管Ｈファイルのサルカン装着リングに装着するサルカンの正面図である。
【図４】従来の歯科用根管Ｈファイルの正面図である。
【図５】図３に示したファイルを用いて根管長を測定する要領を示す概略図である。
【図６】図３に示したファイルを根尖孔位置検出装置のファイルホルダーに把持した状態を示す正面図である。
【図７】市販の根尖孔位置検出装置（例えば、根管長測定モジュール）の構成図である。
【符号の説明】
【００２３】
１  歯科用切削器具（歯科用根管ファイル）
２  針部
３  刃部
４  柄部
５  第１環状体（サルカン装着リング）
６  第２環状体（サルカン）
７  ホルダー端子
８  コード
９  ラバーストッパー
【図１】
2006122204.tif 000003
【図２】
2006122204.tif 000004
【図３】
2006122204.tif 000005
【図４】
2006122204.tif 000006
【図５】
2006122204.tif 000007
【図６】
2006122204.tif 000008
【図７】
2006122204.tif 000009